(57)【要約】【課題】部品点数を増やすことなくコストアップを防ぎながら、取扱説明書の厚さ変更に伴う隙間を防いでがたつきを防止する。【解決手段】中空の中装箱１と、複数の取扱説明書２が重ねた状態で挿入された中装箱１の空いたスペースに挿入される中空の保護スペーサ３と、仕切板７を介して複数の製品が挿入され、取扱説明書２及び保護スペーサ３上に配置される５個入トレイ１１とを設ける。５個入トレイ１１の底面に突片１５を切り起こすためのスリット１５ａを設け、突片１５を切り起こして反転自在とする。【選択図】図２
2008074465.tif 000002
【特許請求の範囲】
【請求項１】
中空の中装箱と、
複数の取扱説明書が重ねた状態で挿入された上記中装箱の空いたスペースに挿入される中空の保護スペーサと、
仕切板を介して複数の製品が挿入され、上記取扱説明書及び保護スペーサ上に配置されるトレイとを備え、
上記トレイの底面には、突片を切り起こすためのスリットが設けられ、該突片は、切り起こして反転自在に構成されている
ことを特徴とする梱包構造。
【請求項２】
請求項１に記載の梱包構造において、
上記突片は、上記トレイを上記中装箱に梱包したときに、反転された突片が上記取扱説明書の上に位置するように設けられている
ことを特徴とする梱包構造。
【請求項３】
請求項１又は２に記載の梱包構造において、
上記突片は、複数群設けられている
ことを特徴とする梱包構造。
【請求項４】
請求項３に記載の梱包構造において、
上記各突片群において、複数の突片を切り起こして反転させたときに、該反転させた突片が互いに重なり合うように構成されている
ことを特徴とする梱包構造。
【請求項５】
請求項４に記載の梱包構造において、
上記複数の突片は、互いに対向して設けられている
ことを特徴とする梱包構造。
【請求項６】
請求項４に記載の梱包構造において、
上記複数の突片は、互いに９０度ずれた方向に設けられている
ことを特徴とする梱包構造。
【請求項７】
請求項４に記載の梱包構造において、
上記複数の突片は、互いに対向したものと、互いに９０度ずれた方向に設けられたものとからなる
ことを特徴とする梱包構造。
【請求項８】
請求項１乃至７のいずれか１つに記載の梱包構造において、
上記突片には、折り曲げ線が設けられている
ことを特徴とする梱包構造。
【請求項９】
請求項１乃至８のいずれか１つに記載の梱包構造において、
紙製容器よりなる
ことを特徴とする梱包構造。
【請求項１０】
請求項１乃至９のいずれか１つに記載の梱包構造において、
上記中装箱が複数個挿入されて梱包される外装箱を備えている
ことを特徴とする梱包構造。
【請求項１１】
請求項１乃至１０のいずれか１つに記載の梱包構造において、
上記製品は、携帯機器である
ことを特徴とする梱包構造。
【発明の詳細な説明】
【技術分野】
【０００１】
本発明は、製品、その取扱説明書や付属品等を一括して梱包する梱包構造に関する。
【背景技術】
【０００２】
近年、携帯電話機等の携帯機器の梱包は、その本体と取扱説明書と付属品とを少数に分けて行われ、梱包をされた１箱が軽量になるようにして通信事業者に納入されている。
【０００３】
例えば、５台程度の携帯電話機と、その付属品（電池蓋、電池等）と、取扱説明書、個装箱とを１つの中装箱に入れ、更にこの中装箱２つを合わせ外装箱に梱包して納入している。製品を梱包するに当たり、製品を保護するため、又は隙間を埋めるために緩衝材を挿入している。
【０００４】
例えば、特許文献１では、Ｃ式箱の底面部にＣ式箱の内周壁面との間に保護パットが挿入可能なように隙間を形成して緩衝材を固定してホルダを形成し、このホルダにより被包装体の両側方を隙間に保護パットを挿入せしめて固定し、これらをバンドで結束して包装するようにしている。
【０００５】
また、例えば特許文献２では、下部緩衝材には、空気調和機本体、据付具、付属部品ケースの下部を、受け入れる空気調和機本体用の凹部、据付具用の凹部、付属部品ケース用の凹部が形成されている。各凹部は、挿入される空気調和機本体、据付具、付属部品ケースの形に合った内周寸法と充分な深さを有している。空気調和機本体の上端部には、下部緩衝材と対を成して支持する上部緩衝材が設けられ、空気調和機本体の上部を受け入れる凹部が形成されている。下部緩衝材の付属部品ケース用の凹部に付属部品ケースを収納し、据付具用の凹部に据付具の一端を収納し、空気調和機本体用の凹部に空気調和機本体の室外ユニットの底面を収納し、上部緩衝材を空気調和機本体の上面に被せ、収納箱に収納するようになっている。
【０００６】
また、例えば特許文献３では、円板形の磁気テープＭＴを収納するための磁気テープケースであって、互いに折畳み自在の４つの側板部と底板部とを有し、磁気テープＭＴを収納するために箱形に組み立てられるケース本体と、組み立てたケース本体内に挿入され、相互間に磁気テープＭＴを挟持するための複数の緩衝材と、互いに折畳み自在の４つの側板部と天板部とを有し、箱形に組み立てられ、ケース本体にはめ合わされるケース蓋とを備えている。
【特許文献１】実開昭６１−１４６８２号公報
【特許文献２】特開平２−１９１１７５号公報
【特許文献３】特開平１０−１７０６４号公報
【発明の開示】
【発明が解決しようとする課題】
【０００７】
ところで、製品を保護したり、隙間を埋めたりするために緩衝材を挿入すると、余分な部品が必要になり、コストアップに繋がる。
【０００８】
しかしながら、携帯電話機と、その付属品と、個装箱と、取扱説明書とを一括して梱包するような場合、取扱説明書の内容決定が遅れたり、追加修正があったりすると、取扱説明書自体の厚みが定まらず、中装箱の外形決定が製品出荷に間に合わなくなるという問題がある。そのため中装箱の深さを当初予定の深さよりも深く設定しなければならない。
【０００９】
その結果、取扱説明書の厚さ如何によっては、取扱説明書の上方に隙間が生じて運送時にがたつくことになる。
【００１０】
そこで、本発明は、複数の製品を梱包する梱包構造において、部品点数を増やすことなくコストアップを防ぎながら、取扱説明書の厚さ変更に伴う隙間を防いで運搬時のがたつきを防止することを目的とする。
【課題を解決するための手段】
【００１１】
上記目的を達成するために第１の発明では、中空の中装箱と、
複数の取扱説明書が重ねた状態で挿入された上記中装箱の空いたスペースに挿入される中空の保護スペーサと、
仕切板を介して複数の製品が挿入され、上記取扱説明書及び保護スペーサ上に配置されるトレイとを備え、
上記トレイの底面には、突片を切り起こすためのスリットが設けられ、該突片は、切り起こして反転自在に構成されている。
【００１２】
すなわち、取扱説明書の厚さ如何によっては、複数の取扱説明書を重ね合わせたときに、積み重ねた取扱説明書の高さと、取扱説明書に並んで中装箱に挿入される保護スペーサとの高さとの間に差が生じ、取扱説明書の上方に隙間が生じる場合がある。しかし、上記の構成によると、スペーサなどの別の部品で隙間を防ぐのではなく、突片を折り曲げるだけで、取扱説明書上の隙間が生められる。
【００１３】
第２の発明では、上記突片は、上記トレイを上記中装箱に梱包したときに、反転された突片が上記取扱説明書の上に位置するように設けられている。
【００１４】
上記の構成によると、突片を折り曲げることで、確実に取扱説明書上の隙間が生められる。
【００１５】
第３の発明では、上記突片は、複数群設けられている。
【００１６】
上記の構成によると、複数群の突片を折り返すことで、トレイが傾くことなく、取扱説明書上の隙間が確実に埋められる。
【００１７】
第４の発明では、上記各突片群において、複数の突片を切り起こして反転させたときに、該反転させた突片が互いに重なり合うように構成されている。
【００１８】
上記の構成によると、取扱説明書上の隙間の量に合わせて、突片を１枚折り曲げるか、複数枚が重なるように折り曲げることで、適切に隙間が埋められる。
【００１９】
第５の発明では、上記複数の突片は、互いに対向して設けられている。
【００２０】
上記の構成によると、対向して設けた複数の突片を１枚折り曲げるか、複数枚が重なるように折り曲げることで、隙間の大きさに合わせて隙間が埋められる。
【００２１】
第６の発明では、上記複数の突片は、互いに９０度ずれた方向に設けられている。
【００２２】
上記の構成によると、互いに９０度ずれた方向に設けた複数の突片を１枚折り曲げるか、複数枚が重なるように折り曲げることで、隙間の大きさに合わせて隙間が埋められる。
【００２３】
第７の発明では、上記複数の突片は、互いに対向したものと、互いに９０度ずれた方向に設けられたものとからなる。
【００２４】
上記の構成によると、隙間の量に合わせて、突片を１枚折り曲げるか、複数枚が重なるように折り曲げることで、隙間が確実に埋められる。
【００２５】
第８の発明では、上記突片には、折り曲げ線が設けられている。
【００２６】
上記の構成によると、折り曲げ線に沿って突片を折り曲げることで、突片が確実に折り曲げられて反転自在となる。
【００２７】
第９の発明では、上記梱包構造は、紙製容器よりなる。
【００２８】
上記の構成によると、コストが安く、軽量な上、折畳みや印刷等の装飾がし易い。
【００２９】
第１０の発明では、上記中装箱が複数個挿入されて梱包される外装箱を備えている。
【００３０】
上記の構成によると、中装箱１つの質量が大きくならないので、取り扱いが容易となる。
【００３１】
第１１の発明では、上記製品は、携帯機器とする。
【００３２】
すなわち、携帯機器は、１つ１つの製品の大きさが小さく、複数個まとめて製造業者から販売業者に納入され、また、特に最先端の機器の場合、取扱説明書の厚さが出荷寸前まで変更され易いが、上記の構成によると、取扱説明書上の隙間が確実に埋められる。
【発明の効果】
【００３３】
以上説明したように、本発明によれば、取扱説明書の厚みが不安定でも、突片を折り曲げて隙間を埋めるようにしたことにより、スペーサを追加して隙間を埋めなくて済むため、部品点数を増やすことなく、コストアップを防ぎながら、取扱説明書の厚さ変更に伴う隙間を防いでがたつきを防止することができる。
【発明を実施するための最良の形態】
【００３４】
以下、本発明の実施形態を図面に基づき説明する。
【００３５】
図１は、本発明の実施形態にかかる中装箱に取扱説明書等を挿入する様子を示す斜視図である。本実施形態にかかる梱包構造は、段ボールや厚紙等の紙製容器からなる中空の中装箱１を備えている。この中装箱１には、複数重ねた状態で取扱説明書２が挿入されるようになっている。
【００３６】
上記複数の取扱説明書２が挿入された中装箱１の空いたスペースには、紙製の中空の保護スペーサ３が挿入されるようになっている。この保護スペーサ３には、例えば、５枚の折り畳まれた個装箱４が挿入されるようになっている。この保護スペーサ３の高さは、取扱説明書２を５冊積み重ねた高さと同等となるように設定されている。すなわち、取扱説明書２の内容決定が遅れたり、追加修正があったりすると、取扱説明書２自体の厚みが不安定となり、中装箱１の外形決定が製品出荷に間に合わなくなるのを防ぐため、保護スペーサ３の高さは、取扱説明書２を５冊積み重ねた高さよりも若干大きめに設定されている。
【００３７】
図２は、本発明の実施形態にかかる中装箱１の取扱説明書２及び保護スペーサ３の上に５個入トレイを挿入する様子を示す斜視図である。５冊の取扱説明書２と１つの保護スペーサ３が挿入された中装箱１の上方の空いたスペースに平面視矩形状の５個入トレイ１１が挿入されるようになっている。
【００３８】
図３は、本発明の実施形態にかかる５個入トレイ１１の平面図及び側面図である。図４は、５個入トレイ１１を構成するトレイ内箱１３の展開図である。図５は、５個入トレイを構成するトレイ外箱１２の展開図である。図６は、図３（ｂ）のVI−VI線断面図である。
【００３９】
５個入トレイ１１は、図４に示すトレイ内箱１３と図５に示すトレイ外箱１２とにより構成されている。トレイ内箱１３とトレイ外箱１２とは、それぞれ一点鎖線で示す折畳み線１６で折り畳まれて、各々の鍔の部分が重なり合って接着により一体になっている。
【００４０】
トレイ内箱１３は、その側面に４つの仕切板挿入孔１４を有し、各仕切板挿入孔１４に仕切板７（図２に示す）が位置決めされて嵌め込まれるようになっている。なお、トレイ外箱１２にも仕切板７が差し込まれる差込用孔１７が形成されている。これら４枚の仕切板７で仕切られた５つ空間にそれぞれ製品（携帯機器）としての携帯電話機本体５が入るようになっている。
【００４１】
図２に示すように、携帯電話機本体５は、梱包されるときには、電池及び電池蓋８が外され、ビニール袋で形成された包装袋６に保護されている。
【００４２】
図４に示すように、５個入トレイ１１の底面には、３辺にスリット１５ａと、１辺に折り曲げ線１５ｂとが設けられた突片１５が形成されている。突片１５は、例えば、所定の間隔を空けて３個ずつの２つの群が設けられている。１つの突片１５の群は、互いに対向した一対の突片１５と、これら突片１５に対して９０度ずれた方向に設けられた１つの突片１５とからなる。これら２群の突片１５は、５個入トレイ１１を中装箱１に梱包したときに、反転された突片１５が取扱説明書２の上に位置するように設けられている。
【００４３】
図６に示すように、この突片１５は、下方へ折り返して反転させたときに、複数の突片１５の一部が互いに重なり合うように配置されている。すなわち、１枚のみ反転させたときには、１枚分の厚みで、２枚反転させたときには、２枚分の厚みで、３枚反転させたときには、３枚分の厚みで隙間が埋められるようになっている。
【００４４】
携帯電話機本体５は、以上のように５個ずつ梱包された中装箱１を複数個まとめて図示しない外装箱に挿入して納入先へ収められるようになっている。
【００４５】
−作用−
次に、本実施形態にかかる梱包構造の作用について説明する。
【００４６】
上述したように、取扱説明書２は、製品設計時から本の厚みが決定しているわけではなく、ときには内容変更や記載誤りがあって本のページ数が変わってくることがよくある。そうすると、正誤表が追加になる等により、本の厚みが厚くなる。
【００４７】
このような場合、中装箱１の寸法の変更を避けるために、予め取扱説明書２の厚みが厚くなることを想定し、大きめに設計している。
【００４８】
このため、取扱説明書２の内容如何によって、５冊の取扱説明書２と保護スペーサ３とを中装箱１に並べて挿入したときに、取扱説明書２の上方に余分な隙間ができる場合がある。
【００４９】
そこで、突片１５を下に折り返し（約１８０度回転し）、反転させることで隙間を詰める。１個の突片１５で不足の場合には２個、３個と折り重ねて隙間を詰める。このように、それぞれの突片１５を重ね合わせていくことで、突片１５の厚さ分だけ隙間を詰めることができる。
【００５０】
また、突片１５は、２群設けられているので、いずれの群も同じ枚数だけ突片１５を反転させることで、５個入トレイ１１が長細い形状であっても傾かずに挿入される。
【００５１】
梱包構造を紙製容器で構成したことにより、コストが安く、軽量な上、折畳みや印刷等の装飾がし易いものとなっている。
【００５２】
−実施形態の効果−
したがって、本実施形態にかかる梱包構造によると、取扱説明書２の厚みが不安定でも、突片１５を折り曲げて隙間を埋めるようにしたことにより、スペーサを追加して隙間を埋めなくて済むため、部品点数を増やすことなくコストアップを防ぎながら、取扱説明書２の厚さ変更に伴う隙間を防いでがたつきを防止することができる。
【００５３】
−変形例−
図７及び図８は、本発明の実施形態の変形例にかかる梱包構造の５個入トレイを示す。この梱包構造では、突片の形状が異なる点で上記実施形態と異なる。
【００５４】
本変形例にかかる突片１１５は、上記実施形態の突片１５よりも長く、３重まで折り曲げ自在に構成されている。すなわち、１つの突片１１５は、１つのスリット１５ａと３本の折り曲げ線１５ｂとを有し、各折り曲げ線１５ｂを折り曲げ、先端のみ反転させたときには、１枚分の厚みで、先端と２枚目を反転させたときには、２枚分の厚みで、３枚とも反転させたときには、３枚分の厚みで隙間が埋められるようになっている。なお、４本以上折り曲げ線１５ｂを設けて４枚以上反転自在としてもよい。
【００５５】
このように、折畳み具合を調整して厚みを厚くすることで、上記実施形態と同様に取扱説明書２の上の余分な隙間を詰めることができる。
【００５６】
（その他の実施形態）
本発明は、上記実施形態について、以下のような構成としてもよい。
【００５７】
すなわち、上記実施形態では、突片１５は、１群につき３個ずつ配置されているが、１個又は複数個ずつであってもよい。複数個設けるときには、同様に下方に折り返すと互いに一部が重なり合うように配置すればよい。
【００５８】
また、上記実施形態では、２群の突片１５，１１５を設けているが、１群でも、３群以上でもよい。
【００５９】
上記実施形態では、５個入トレイ１１の例を示しているが、５個に限定されない。
【００６０】
上記実施形態では、保護スペーサ３に個装箱４を挿入しているが、携帯電話機の付属品等を挿入してもよい。
【００６１】
上記実施形態では、携帯機器として携帯電話機の例を示したが、ＰＣ、ＰＨＳ、ＰＤＡ、モバイルツール、電子辞書、電卓、複写機等であってもよい。
【００６２】
なお、以上の実施形態は、本質的に好ましい例示であって、本発明、その適用物や用途の範囲を制限することを意図するものではない。
【図面の簡単な説明】
【００６３】
【図１】本発明の実施形態にかかる中装箱に取扱説明書等を挿入する様子を示す斜視図である。
【図２】本発明の実施形態にかかる中装箱の取扱説明書及び保護スペーサの上に５個入トレイを挿入する様子を示す斜視図である。
【図３】本発明の実施形態にかかる５個入トレイを示し、（ａ）が平面図で、（ｂ）が側面である。
【図４】５個入トレイを構成する内箱を示す展開図である。
【図５】５個入トレイを構成する外箱を示す展開図である。
【図６】突片を反転させる途中を示す図１のVI−VI線断面図である。
【図７】実施形態の変形例にかかる５個入トレイの図１相当図である。
【図８】実施形態の変形例にかかる５個入トレイの図６相当図である。
【符号の説明】
【００６４】
１      中装箱
２      取扱説明書
３      保護スペーサ
５      携帯電話機本体（製品、携帯機器）
７      仕切板
１１      ５個入トレイ
１５，１１５      突片
１５ａ    スリット
１５ｂ    折り曲げ線
【図１】
2008074465.tif 000003
【図２】
2008074465.tif 000004
【図３】
2008074465.tif 000005
【図４】
2008074465.tif 000006
【図５】
2008074465.tif 000007
【図６】
2008074465.tif 000008
【図７】
2008074465.tif 000009
【図８】
2008074465.tif 000010